(57)【要約】【課題】意匠性が低下することのないレシーバーカバーと、レシーバ保持部へのレシーバの固定作業性が良いレシーバーホルダーとを提供する。【解決手段】互いに間隔を隔てて平行に基底部１２上に立設した２個のレシーバ保持部１１を備えたレシーバーホルダー１０のその各レシーバ保持部１１の外側の前方に係止部１１ｎを形成し、かつ各レシーバ保持部１１の上部にレシーバ４０の円筒部４０ｈの頭を押さえる第１の押さえｇ１と、基底部１２の前端両側にレシーバの円筒部４０ｈの頭を載置する第２の押さえｇ２と基底部１２の後端中央にレシーバの円筒部をｈの底部を載置する第３の押さえｇ３とを備え、中央の円形開口部１３ｈを挟んで立設した２個の薄肉取り付け部材１４を備えたレシーバーカバー１３のその各薄肉取り付け部材１４に係止部１４ｎを形成した。【選択図】図２
2010132140.tif 000002
【特許請求の範囲】
【請求項１】
互いに間隔を隔てて平行に基底部上に立設した２個のレシーバ保持部を備えた盗難防止装置用レシーバーを保持するレシーバーホルダーであって、前記各レシーバ保持部の外側の前方に係止部を形成したことを特徴とするレシーバーホルダー。
【請求項２】
前記基底部と前記２個のレシーバ保持部の作る空間に円筒状のレシーバを固定するレシーバーホルダーであって、前記各レシーバ保持部の上部に前記レシーバの円筒部の頭を押さえる第１の押さえと、前記基底部の前端両側に前記レシーバの円筒部の頭を載置する第２の押さえと前記基底部の後端中央に前記レシーバの円筒部の底部を載置する第３の押さえとを備えたことを特徴とする請求項１記載のレシーバーホルダー。
【請求項３】
中央に円形開口部を有し、該円形開口部を挟んで互いに間隔を隔てて平行に立設した２個の薄肉取り付け部材を備えたレシーバーカバーであって、前記各薄肉取り付け部材に係止部を形成したことを特徴とするレシーバーカバー。
【請求項４】
請求項１又は２記載のレシーバーホルダーと請求項３記載のレシーバーカバーとから成るレシーバーの保持構造であって、前記レシーバ保持部の前記係止部と前記薄肉取り付け部材の係止部とを互いに係合可能としたことを特徴とするレシーバーの保持構造。
【発明の詳細な説明】
【技術分野】
【０００１】
本発明は、自動車用ルームランプ内の盗難防止装置用レシーバのホルダーとレシーバーカバーとその保持構造に関するもので、特にレシーバーホルダーの正面に位置する樹脂製レシーバーカバーのヒケ発生を防止しかつ安定に保持できるレシーバーホルダーに関するものである。
【背景技術】
【０００２】
盗難防止装置用レシーバとしては、従来より、例えば特許文献１に開示されている図６のようなものがあった。
図６は従来の盗難防止装置用レシーバを説明する図で、（ａ）は自動車全体の平面図、（ｂ）は盗難防止装置用レシーバ（焦電形センサ）を支持する装置の斜視図である。盗難防止装置用レシーバは図６（ａ）に示すように車室の天井中央のルームランプ７０内に２個の盗難防止装置用レシーバを設置し、それぞれ車内の右側と左側用として用いられている。
図６（ｂ）において、ブラケット７０ｂに盗難防止装置用レシーバ（以後、単にレシーバと言う）４０Ｌ、４０Ｒを備えたレシーバーホルダー６０を取り付け、このブラケット７０ｂをルームランプ７０と共締めによって図６（ａ）に示すよう車室の天井の中央に設置していた。
【特許文献１】実開平６−４２４７２号公報
【０００３】
図７は２個のレシーバを保持するレシーバーホルダーを説明する側面図である。
図７において、レシーバーホルダー６０はそれぞれ左右の側面に円筒状のレシーバ保持部６１Ｌ、６１Ｒを成形し、レシーバ４０Ｌ、４０Ｒはレシーバ固定部６２Ｌ、６２Ｒによって円筒状のレシーバ保持部６１Ｌ、６１Ｒに仮セットされ、分割されたレシーバーホルダー６０を嵌合して固定している。
【発明の開示】
【発明が解決しようとする課題】
【０００４】
〈３つの問題点〉
しかしながら、円筒状のレシーバ保持部６１Ｌ、６１Ｒの一部がそれぞれ樹脂製のレシーバーカバー６３Ｌ、６３Ｒを形成した場合、円筒状のレシーバ保持部６１Ｌ、６１Ｒが側面に位置するレシーバーカバー６３Ｌ、６３Ｒの部位が樹脂厚が均等にならず、ヒケが生じて意匠性が低下する、といった問題が発生した。
また、レシーバーホルダー６０が分割しているため、レシーバーホルダー６０のレシーバーカバーに継ぎ目があり、意匠性が低下する、といった問題が発生した。
さらに、レシーバ４０Ｌ、４０Ｒは円筒状のレシーバ保持部６１Ｌ、６１Ｒの１点支持であるため、レシーバ４０Ｌ、４０Ｒの安定性に欠き、円筒状のレシーバ保持部６１Ｌ、６１Ｒへのレシーバ４０Ｌ、４０Ｒの固定作業性が悪い、といった問題もあった。
【０００５】
〈本発明の目的〉
本発明はこれらの問題を解消するためになされたもので、意匠性が低下することのない、かつ、レシーバ保持部へのレシーバの固定作業性が良いレシーバーホルダーを提供することを目的としている。
【課題を解決するための手段】
【０００６】
上記目的を達成するために、第１の発明はレシーバーホルダーに係り、互いに間隔を隔てて平行に基底部上に立設した２個のレシーバ保持部を備えた盗難防止装置用レシーバーを保持するレシーバーホルダーであって、前記各レシーバ保持部の外側の前方に係止部を形成したことを特徴とするものである。
第２の発明は、第１の発明のレシーバーホルダーにおいて、前記基底部と前記２個のレシーバ保持部の作る空間に円筒状のレシーバを固定し、前記各レシーバ保持部の上部に前記レシーバの円筒部の頭を押さえる第１の押さえと、前記基底部の前端両側に前記レシーバの円筒部の頭を載置する第２の押さえと前記基底部の後端中央に前記レシーバの円筒部の底部を載置する第３の押さえとを備えたことを特徴とするものである。
このように構成することにより、レシーバが（従来の１点支持と違って）５点支持されるのでレシーバ保持部へのレシーバの固定作業性を良くすることができる。
【０００７】
また、第３の発明はレシーバーカバーに係り、中央に円形開口部を有し、該円形開口部を挟んで互いに間隔を隔てて平行に立設した２個の薄肉取り付け部材を備えたレシーバーカバーであって、前記各薄肉取り付け部材に係止部を形成したことを特徴とするものである。
このように構成することにより、レシーバーカバーに形成される取り付け部材が（従来の厚肉円筒状と違って）２枚の薄肉から成るので射出成形時の厚み差に起因するヒケが生じにくくなり、意匠性が低下するのを防止することができる。
【０００８】
さらに、第４の発明はレシーバーの保持構造に係り、請求項１記載のレシーバーホルダーと請求項２記載のレシーバーカバーとから成るレシーバーの保持構造であって、前記レシーバ保持部の前記係止部と前記薄肉取り付け部材の係止部とを互いに係合可能としたことを特徴とするものである。
【０００９】
このように構成することにより、レシーバ保持部へのレシーバの固定作業性を良くすることができ、しかも射出成形時の厚み差に起因するヒケが生じにくくなり、意匠性が低下するのを防止することができる。
【発明の効果】
【００１０】
以上のように、本発明によれば、意匠性が低下することのない、かつ、レシーバ保持部へのレシーバの固定作業性が良いレシーバーホルダーが得られるようになる。
【発明を実施するための最良の形態】
【００１１】
以下、本発明に係る自動車用ルームランプのレシーバーホルダーとレシーバーカバーとその保持構造について概略説明する。
【００１２】
〈本発明に係るレシーバーホルダーの概略〉
図１は本発明に係るレシーバーホルダーにレシーバを係止した状態を示す斜視図で、（ａ）はレシーバーホルダーからレシーバーカバーを離脱させた状態、（ｂ）はレシーバーカバーを固定した状態を表し、それぞれ（イ）は正面斜め側、（ロ）は裏面斜め側から見た図である。
図１（ａ）において、１０はレシーバーホルダー、１１は本発明に係るレシーバ保持部、１２は基底部、１３はレシーバーカバー、４０はレシーバである。レシーバ保持部１１を２枚互いに間隔を隔てて平行に基底部１２上に立設し、そのレシーバ保持部１１間にレシーバ４０を上向けに取り付けている。レシーバ保持部１１の外側（レシーバの反対側）前方に係止爪１１ｎが形成されている。
【００１３】
〈本発明に係るレシーバーカバーの概略〉
一方、レシーバーカバー１３は樹脂製平板でできており、中央に開口部１３ｈを有し、その開口部１３ｈの大きさはレシーバ４０の円筒部の正面の円形に一致している。レシーバーカバー１３の裏側（レシーバのある側）には断面コ字状をした薄肉の取り付け部材１４、１４がレシーバーカバー１３と一体成形でレシーバーカバー１３に開口部１３ｈを挟んで立設されている。各薄肉取り付け部材１４には係止孔１４ｎが貫通して設けられ、レシーバ保持部１１の外側前方に形成された係止爪１１ｎが係合するようになっている。
【００１４】
〈本発明に係るレシーバーの保持構造の概略〉
図１（ａ）のようにレシーバーホルダー１０にレシーバ４０を仮セットした後、レシーバーカバー１３の開口部１３ｈにレシーバ４０の先端を臨ませるようにレシーバーカバー１３を近づけ、レシーバーカバー１３の裏側の薄肉取り付け部材の係止孔１４ｎにレシーバ保持部１１の外側前方に形成された係止爪１１ｎを係合させることで、別体のレシーバーホルダー１０とレシーバーカバー１３とが固定される。図１（ｂ）はこのようにしてレシーバーホルダー１０とレシーバーカバー１３とが固定された状態を示している。
【００１５】
〈本発明の効果〉
本発明によれば、レシーバーカバー１３に形成される取り付け部材１４が（従来の厚肉円筒状と違って）２枚の薄肉から成るので射出成形時の厚み差に起因するヒケが生じにくくなり、意匠性が低下することがなくなる。
また、レシーバが（従来の１点支持と違って）５点支持（これについては後述）されるのでレシーバ保持部へのレシーバの固定作業性が良くなる。
【００１６】
〈本発明に係るレシーバーホルダーの説明〉
図２は、本発明に係るレシーバーホルダーにレシーバを係止した状態を示す図１（ａ）からレシーバを取り外した状態を示す斜視図であり、（イ）は図１と同じく正面斜め側、（ロ）は裏面斜め側から見た図である。図３は図２（ａ）のレシーバ保持部１１をやや正面側から上方見た斜視図である。
図２において、４０はレシーバで、円筒部４０ｈと円筒部４０ｈの裏側から突出する接続端子４０ｃとで構成される。
図２および図３において、１０はレシーバーホルダー、１１はレシーバ保持部、１２は基底部、１３はレシーバーカバーである。レシーバ保持部１１を２枚互いに間隔を隔てて平行に基底部１２上に立設し、その対向する内側の上部でレシーバの円筒部４０ｈが接触する部位にガタ押さえｇ１が形成されている。そして、基底部１２の上で２個のレシーバ保持部１１間でレシーバの円筒部４０ｈの頭部４０ｄ（図４（ｂ））が接触する部位にガタ押さえｇ２、ｇ２が形成されている。さらに、レシーバの円筒部の底部４０ｂ（図４（ｃ））が接触する部位にガタ押さえｇ３が形成されている。
また、レシーバ保持部１１の外側（レシーバの反対側）前方（レシーバーカバー側）には、係止爪１１ｎが形成されている。
また、基底部１２には、固定用の孔１２ｆが形成されている。
【００１７】
〈本発明に係るレシーバーカバーの説明〉
一方、レシーバーカバー１３は樹脂製平板でできており、中央に開口部１３ｈを有し、その開口部１３ｈの大きさはレシーバ４０の円筒部４０ｈの正面の円形に一致している。その裏側（レシーバのある側）には断面コ字状をした薄肉の取り付け部材１４、１４がレシーバーカバー１３と一体成形でレシーバーカバー１３に開口部１３ｈを挟んで立設されている。各薄肉取り付け部材１４には係止孔１４ｎが貫通して設けられ、レシーバ保持部１１の外側前方に形成された係止爪１１ｎが係合するようになっている。
【００１８】
〈レシーバーホルダーにレシーバーを保持〉
図４は、レシーバーホルダーにレシーバを保持しかつレシーバーカバーを係止させる前の状態を示す図で、（ａ）は平面図、（ｂ）は図４（ａ）のＡ−Ａ矢視図、（ｃ）は図４（ａ）のＢ−Ｂ矢視図である。
図４において、レシーバーホルダー１０には５カ所のガタ押さえが形成されているのが判る。すなわち、図４（ｂ）には、レシーバ保持部１１の左右の上部にそれぞれガタ押さえｇ１、ｇ１（図３も参照）が形成され、レシーバ保持部１１の左右の下部（基底部１２）にもそれぞれガタ押さえｇ２、ｇ２（図３も参照）が形成されている。
そして、図４（ａ）および（ｃ）には、２個のレシーバ保持部１１、１１の間の中央下部（基底部１２）に１個のガタ押さえｇ３（図３も参照）が形成され、合計５カ所にガタ押さえが形成されている。
このように、本発明によれば、レシーバ４０はレシーバーホルダー１０の５カ所のガタ押さえｇ１、ｇ１、ｇ２、ｇ２、ｇ３によって確実に保持されるので、従来の１点支持と違ってレシーバ保持部へのレシーバの固定作業性が良くなる。
【００１９】
〈レシーバーホルダーにレシーバーカバーを係止〉
図５は、レシーバーホルダーにレシーバを保持しかつレシーバーカバーを係止させた状態を示す図で、（ａ）は正面図、（ｂ）は図５（ａ）のＣ−Ｃ矢視断面図である。
図５において、レシーバ保持部１１の外側（レシーバの反対側）前方（レシーバーカバー１３の側）に係止爪１１ｎが形成されている。
一方、レシーバーカバー１３には中央の開口部１３ｈを挟んで薄肉の取り付け部材１４が形成され、その取り付け部材１４に係止孔１４ｎが貫通して設けられている。
そして、レシーバ保持部１１の係止爪１１ｎが係止孔１４ｎに係合して、別体だったレシーバーホルダー１０とレシーバーカバー１３とが確実に固定される。
このように、本発明によれば、レシーバーカバー１３に形成される取り付け部材１４が（従来の厚肉円筒状と違って）２枚の薄肉から成るので射出成形時の厚み差に起因するヒケが生じにくくなり、意匠性が低下することがなくなる。
【００２０】
以上のように、本発明によれば、意匠性が低下することのないレシーバーカバーと、レシーバ保持部へのレシーバの固定作業性が良いレシーバーホルダーとが得られることとなる。
【図面の簡単な説明】
【００２１】
【図１】本発明に係るレシーバーホルダーにレシーバを係止した状態を示す斜視図で、（ａ）はレシーバーホルダーからレシーバーカバーを離脱させた状態、（ｂ）はレシーバーカバーを固定した状態を表し、それぞれ（イ）は正面斜め側、（ロ）は裏面斜め側から見た図である。
【図２】本発明に係るレシーバーホルダーにレシーバを係止した状態を示す図１（ａ）からレシーバを取り外した状態を示す斜視図であり、（イ）は図１と同じく正面斜め側、（ロ）は裏面斜め側から見た図である。
【図３】図２（ａ）のレシーバ保持部１１をやや正面側から上方見た斜視図である。
【図４】レシーバーホルダーにレシーバを保持しかつレシーバーカバーを係止させる前の状態を示す図で、（ａ）は平面図、（ｂ）は図４（ａ）のＡ−Ａ矢視図、（ｃ）は図４（ａ）のＢ−Ｂ矢視図である。
【図５】レシーバーホルダーにレシーバを保持しかつレシーバーカバーを係止させた状態を示す図で、（ａ）は正面図、（ｂ）は図５（ａ）のＣ−Ｃ矢視断面図である。
【図６】従来の盗難防止装置用レシーバを説明する図で、（ａ）は自動車全体の平面図、（ｂ）は盗難防止装置用レシーバ（焦電形センサ）を支持する装置の斜視図である。
【図７】２個のレシーバを保持するレシーバーホルダーを説明する側面図である。
【符号の説明】
【００２２】
１０  レシーバーホルダー
１１  レシーバ保持部
１１ｎ  係止爪
１２  基底部
１２ｆ  固定用の孔
１３  レシーバーカバー
１３ｈ  開口部
１４  取り付け部材
１４ｎ  係止孔
４０  レシーバ
４０ｂ  底部
４０ｃ  接続端子
４０ｄ  頭部
４０ｈ  円筒部
ｇ１〜ｇ５  ガタ押さえ
【図１】
2010132140.tif 000003
【図２】
2010132140.tif 000004
【図３】
2010132140.tif 000005
【図４】
2010132140.tif 000006
【図５】
2010132140.tif 000007
【図６】
2010132140.tif 000008
【図７】
2010132140.tif 000009